(57)【要約】【課題】ユーザーが視聴予約と録画予約の選択を予約設定の度に選択する必要のないデジタル放送受信機の提供を目的とする。【解決手段】本発明のデジタル放送受信機は、デジタル放送を記録媒体へ録画する録画機能を有する録画部と、録画部の録画予約機能の使用と、視聴予約機能の使用とを、予め択一的に選択して設定する設定部と、ユーザーの予約要求に対して、当該予約要求に係る番組について、設定部における録画機能が有効であれば録画予約を設定し、設定部における録画機能が無効であれば視聴予約を設定する予約管理部と、を備える。【選択図】図１
2015076726.tif 000002
【特許請求の範囲】
【請求項１】
デジタル放送を記録媒体に録画する録画制御部と、
前記録画制御部における録画機能の使用有無を設定する設定部と、
ユーザーの予約要求に応じて録画予約又は視聴予約のいずれかの設定を行う予約管理部と、を備え、
前記予約管理部は、前記予約要求に係る番組について、前記録画機能が使用有と設定されていれば録画予約のみ設定可能とし、前記録画機能が使用無と設定されていれば視聴予約のみ設定可能とする、
デジタル放送受信機。
【請求項２】
前記設定部は、ユーザーの入力に基づき前記録画機能の使用有無を設定する、
請求項１に記載のデジタル放送受信機。
【請求項３】
前記録画制御部は、前記デジタル放送を前記デジタル放送受信機の外部の前記記録媒体に録画し、
前記デジタル放送受信機への前記記録媒体の接続が検出されると、前記録画機能の使用有無をユーザーが設定する画面を表示する表示部をさらに備える、
請求項２に記載のデジタル放送受信機。
【請求項４】
前記予約管理部は、前記設定部において前記録画機能が使用無から使用有に切り替わると、設定済の番組の前記視聴予約を前記録画予約に置き換え、前記設定部において前記録画機能が使用有から使用無に切り替わると、予約設定済の番組の前記録画予約を前記視聴予約に置き換える、予約置換機能を有する、
請求項１〜３のいずれかに記載のデジタル放送受信機。
【請求項５】
前記予約管理部は、前記設定部において前記録画機能が使用無から使用有に切り替わると、設定済の番組の前記視聴予約をキャンセルし、前記設定部において前記録画機能が使用有から使用無に切り替わると、設定済の番組の前記録画予約をキャンセルする、予約キャンセル機能を有する、
請求項１〜３のいずれかに記載のデジタル放送受信機。
【請求項６】
前記予約管理部は、前記設定部において前記録画機能が使用無から使用有に切り替わると、設定済の番組の前記視聴予約をキャンセルし、前記設定部において前記録画機能が使用有から使用無に切り替わると、設定済の番組の前記録画予約をキャンセルする、予約キャンセル機能を有し、前記予約置換機能と前記予約キャンセル機能のうち、ユーザー操作により選択された一方の機能を実行する、
請求項４に記載のデジタル放送受信機。
【発明の詳細な説明】
【技術分野】
【０００１】
この発明は、デジタル放送を受信するデジタル放送受信機に関し、特に、受信したデジタル放送をディスプレイやスピーカー等の出力手段に出力する視聴機能と、記録媒体へ録画する録画機能とを有するデジタル放送受信機に関する。
【背景技術】
【０００２】
ＨＤＤ（Hard Disc Drive）等の外部記録媒体への録画機能を有する従来のデジタル放送受信機では、ユーザーが電子番組表（Electric Program Guide、以下ＥＰＧ）から予約を設定したい番組を選択すると、予約選択画面を表示し、予約選択画面上で視聴予約と録画予約のどちらの予約設定とするのかを、ユーザーが選択していた（例えば、特許文献１の段落［００４６］〜［００５３］および第４図参照）。
【先行技術文献】
【特許文献】
【０００３】
【特許文献１】特開２００６−９４４３８号公報
【発明の概要】
【発明が解決しようとする課題】
【０００４】
しかし、予約設定を行う度に、予約設定画面上で視聴予約と録画予約のどちらの予約設定とするのかを手動で選択するのはユーザーにとって手間であり、デジタル放送受信機の使い勝手を低下させる原因となっていた。
【０００５】
そこで、本発明は上述の問題に鑑み、ユーザーが視聴予約と録画予約の選択を予約設定の度に選択する必要のないデジタル放送受信機の提供を目的とする。
【課題を解決するための手段】
【０００６】
本発明のデジタル放送受信機は、デジタル放送を記録媒体へ録画する録画機能を有する録画部と、録画部の録画予約機能の使用と、視聴予約機能の使用とを、予め択一的に選択して設定する設定部と、ユーザーの予約要求に対して、当該予約要求に係る番組について、設定部における録画機能が有効であれば録画予約を設定し、設定部における録画機能が無効であれば視聴予約を設定する予約管理部と、を備える。
【発明の効果】
【０００７】
本発明のデジタル放送受信機は、デジタル放送を記録媒体へ録画する録画機能を有する録画部と、録画部の録画予約機能の使用と、視聴予約機能の使用とを、予め択一的に選択して設定する設定部と、ユーザーの予約要求に対して、当該予約要求に係る番組について、設定部における録画機能が有効であれば録画予約を設定し、設定部における録画機能が無効であれば視聴予約を設定する予約管理部と、を備える。よって、ユーザーは番組の予約を行う際、視聴予約設定と録画予約設定のいずれかを選択する必要がなく使い勝手が良い。
【図面の簡単な説明】
【０００８】
【図１】実施の形態１に係るデジタル放送受信機の構成を示すブロック図である。
【図２】実施の形態１に係るデジタル放送受信機の予約設定動作を示すフローチャートである。
【図３】実施の形態１に係るデジタル放送受信機の録画設定画面を示す図である。
【図４】実施の形態１に係るデジタル放送受信機の録画予約設定画面を示す図である。
【図５】実施の形態１に係るデジタル放送受信機の視聴予約設定画面を示す図である。
【図６】実施の形態１に係るデジタル放送受信機に外部記録媒体を接続した場合の動作を示す図である。
【発明を実施するための形態】
【０００９】
＜Ａ．実施の形態１＞
＜Ａ−１．構成＞
図１は、本発明の実施の形態１に係るデジタル放送受信機１の概略構成を示すブロック図である。デジタル放送受信機１は、録画データを保存する外部記録媒体４、映像等を表示する表示部３と接続している。
【００１０】
また、デジタル放送受信機１は、入力デバイス機２と赤外線通信が可能であり、入力デバイス機２を用いてデジタル放送受信機１を遠隔操作することが可能である。入力デバイス機２は、リモートコントローラ（リモコン）が一般的であり、デジタル放送受信機１を操作可能なスイッチ類を具備している。
【００１１】
表示部３は、液晶パネルやプラズマディスプレイ等で構成され、映像を表示する。図１において、表示部３はデジタル放送受信機１と別機器として示されているが、例えば、デジタルテレビのようにデジタル放送受信機１と表示部３が一体として構成されていても良い。
【００１２】
外部記録媒体４は、例えばデジタル放送受信機１にＵＳＢ（Universal Serial Bus）インターフェイスで接続された外付けＨＤＤで構成されるが、その他、ＵＳＢメモリやＳＤカード、ＤＶＤといった記録メディアへ書き込み／読み込み可能な機器であっても良い。
【００１３】
デジタル放送受信機１は、アンテナ１３、受信処理部５、番組情報管理部６、予約管理部７、選局制御部８、録画制御部９、表示制御部１０、およびコントローラ１１を備えている。アンテナ１３は、デジタル放送信号を受信する。受信処理部５は、デジタルチューナや信号を増幅および復調する回路（図示せず）を含み、アンテナ１３で受信したデジタル放送信号から番組情報や映像信号を取り出す。番組情報管理部６は、受信処理部５で取り出した番組情報を蓄積し、管理する。予約管理部７は、視聴予約や録画予約を設定し、管理する。選局制御部８は、選局を制御する。録画制御部９は、録画時には外部記録媒体４へ録画データを書き込み、再生時には外部記録媒体４から録画データを読み込む。表示制御部１０は、表示部３を制御する。コントローラ１１は、ＣＰＵ（Central Processing Unit：中央演算装置）などで構成され、前述のようなデジタル放送受信機１の各種制御、調整および設定を統括制御する。また、受信処理部５、番組情報管理部６、予約管理部７、選局制御部８、録画制御部９、表示制御部１０も、ＲＡＭなどのメモリに格納されたプログラムを実行するＣＰＵにより実現する。
【００１４】
また、デジタル放送受信機１は、入力デバイス機２と同様にデジタル放送受信機１を操作可能な受信機スイッチ１２を備えている。ユーザーが入力デバイス機２や受信機スイッチ１２を操作して発生した操作信号は、コントローラ１１に入力され、各種制御、調整および設定に使用される。
【００１５】
なお、外部記録媒体４の代わりに、デジタル放送受信機１の内部に記録媒体を備えていても良い。
【００１６】
＜Ａ−２．動作＞
次に、デジタル放送受信機１の動作について説明する。
【００１７】
図１において、アンテナ１３で受信されたデジタル放送信号は、受信処理部５において復調および復号され、番組情報や映像信号が取り出される。それら番組情報や映像信号は、表示制御部１０で表示部３に表示可能なデータに変換され、表示部３に表示される。受信処理部５が抽出した番組情報は、番組情報管理部６で蓄積・管理され、ＥＰＧの表示や、番組のジャンル検索などに利用される。また、この番組情報を元に、予約管理部７により、番組を指定した試聴予約や録画予約が設定される。なお、番組情報を用いたＥＰＧやジャンル検索は周知の技術であるため、これ以上の詳細な説明は省略する。
【００１８】
入力デバイス機２および受信機スイッチ１２からの操作を受けた選局動作は、選局制御部８で実行される。視聴予約および録画予約は予約管理部７で設定し、実行される。視聴予約の場合は、選局制御部８により予約番組開始時に選局が行われ、録画予約の場合は、録画制御部９により外部記録媒体４に対し録画データの書き込みが実施される。
【００１９】
＜Ａ−３．予約設定＞
図２は、番組を指定して予約設定を行う場合のデジタル放送受信機１の動作を示すフローチャートである。なお、録画機能が有効か否かは、図３に示すようなメニュー上の録画設定画面を経て、予約設定操作前に設定される。具体的には、ユーザーが入力デバイス機２もしくは受信機スイッチ１２を操作して、録画設定画面を表示させる。ユーザーは、図３に示す録画設定画面上で、録画機能を使用するか使用しないかを手動で設定することが可能である。例えば、デジタル放送受信機１に外部記録媒体４を接続している場合は「録画機能を使用する（録画機能有効）」に設定し、外部記録媒体４を接続していない場合は、「録画機能を使用しない（録画機能無効）」に設定する。この設定結果は、受信機コントローラ１１内の不揮発性メモリ（図示せず）に保存される。
【００２０】
図２において、ユーザーが入力デバイス機２あるいは受信機スイッチ１２を操作し、表示部３にＥＰＧを表示する（ステップＳ２０１）。ここでは、番組情報管理部６内の番組情報を基に表示制御部１０がＥＰＧを作成し、表示部３に表示する。次に、ユーザーが、ＥＰＧから予約したい番組を選択する（ステップＳ２０２）。予約管理部７は、受信機コントローラ１１内の不揮発性メモリに保存された情報から、録画機能が有効か否かを判定する（ステップＳ２０３）。そして、録画機能が有効であれば、表示制御部１０が図４のような録画予約設定画面を表示部３に表示し（ステップＳ２０４）、録画機能が無効であれば、表示制御部１０が図５のような視聴予約設定画面を表示部３に表示する（ステップＳ２０５）。
【００２１】
図４の録画予約設定画面は、放送局名や番組名などのユーザーが選択した番組内容に加えて、「録画予約」ボタンが表示されている。ユーザーが「録画予約」ボタンを選択することで録画予約が設定される。また、図５の視聴予約設定画面は、ユーザーが選択した番組内容に加えて、「視聴予約」ボタンが表示されている。ユーザーが「視聴予約」ボタンを選択することで視聴予約が設定される。録画予約設定画面には「視聴予約」ボタンは表示されず、視聴予約設定画面には「録画予約」ボタンは表示されない。このように、ユーザーが番組予約を行う際には、録画機能が有効であるか否かに応じて、自動的に録画予約設定画面か視聴予約設定画面のいずれか一方が表示されるため、ユーザーは録画予約か視聴予約を手動で選択する必要がなく、簡単に予約設定を行える。
【００２２】
ユーザーが録画予約設定画面で録画予約を選択すると、あるいは、視聴予約設定画面で視聴予約を選択すると、予約管理部７に予約内容が登録され、予約設定が完了する（ステップＳ２０６）。
【００２３】
図２では、ユーザーがＥＰＧから番組を指定して予約設定を行う場合について説明したが、開始時刻、終了時刻、および放送局を指定して予約する時刻指定予約に関しても同様である。この場合、図２のステップＳ２０１、Ｓ２０２がユーザー操作による番組の開始時刻、終了時刻、および放送局の指定に置き換わる。
【００２４】
＜Ａ−４．録画機能自動設定＞
上記では、図３に示す録画設定画面上で、ユーザーが手動で録画機能が有効か否かを設定する方法について示したが、外部記録媒体４を用いる場合、録画機能の設定は以下に示す方法で自動的に行っても良い。
【００２５】
図６は、外部記録媒体４をデジタル放送受信機１に接続した際に録画機能を自動設定する動作を示すフローチャートである。なお、前提として外部記録媒体４は、使用する前にデジタル放送受信機１に登録する必要があるものとする。
【００２６】
まず、コントローラ１１は外部記録媒体４の接続を検出すると（ステップＳ６０１）、接続された外部記録媒体４がデジタル放送受信機１に登録済であるか否かを確認する（ステップＳ６０２）。外部記録媒体４が未登録であった場合、表示制御部１０は、当該外部記録媒体４をデジタル放送受信機１の録画用に新規登録するか否かを判断する（ステップＳ６０３）。具体的には、表示制御部１０がユーザーに対する確認画面を表示部３に表示し、当該確認画面を通してユーザーが新規登録を選択すれば、新規登録すると判断し、ユーザーが新規登録を選択しなければ、新規登録しないと判断し、処理を終了する。
【００２７】
新規登録すると判断すると、コントローラ１１は外部記録媒体４を登録する（ステップＳ６０４）。そして、表示制御部１０は、録画機能用に外部記録媒体４の初期化実行を行うか否かの確認画面を表示部３に表示する（ステップＳ６０５）。当該確認画面を通じてユーザーが初期化を選択すると、コントローラ１１は、外部記録媒体４の初期化を行う（ステップＳ６０６）。
【００２８】
外部記録媒体４の初期化を完了すると、表示制御部１０は図３に示す録画設定画面を表示する（ステップＳ６０７）。ユーザーは、録画設定画面上で、録画機能を使用するか否かを手動で設定する。
【００２９】
次に、コントローラ１１は、録画機能が有効であるか否かを判断する（ステップＳ６０８）。ユーザーが録画設定画面上で録画機能を使用すると設定した場合は、録画機能が有効と判断する。この場合、予約管理部７は既に設定されている視聴予約を全てキャンセルする（ステップＳ６０９）。あるいは、キャンセルする代わりに録画予約に置き換えても良い。また、ユーザーが録画設定画面上で録画機能を使用しないと設定すると、コントローラ１１は録画機能が無効と判断する（ステップＳ６０８でＮＯ）。この場合、予約管理部７は既に設定されている録画予約を全てキャンセルする（ステップＳ６１０）。あるいは、キャンセルする代わりに視聴予約に置き換えても良い。これにより、視聴予約と録画予約の混在を防止することができる。
【００３０】
なお、ステップＳ６０９，Ｓ６１０における動作、すなわち設定済みの予約をキャンセルするか置き換えるかは、ユーザー操作により選択できることが望ましい。また、いずれも行わない選択が可能であっても良い。
【００３１】
また、録画設定画面はメニュー上から随時表示可能とし、録画設定画面を通じたユーザー操作による録画機能の有効又は無効の切替は、外部記録媒体４の接続時に限らず、いつでも行えることが望ましい。
【００３２】
上記のように、外部記録媒体４をデジタル放送受信機１に接続して登録および初期化を行った後、録画設定画面を自動表示し、ユーザーに録画機能を使用するか否かの設定を促すことで、設定漏れを防ぐことができる。また、メニュー上から録画設定画面を手動で表示させるという操作をユーザーが行う必要がないため、メニュー操作に慣れていないユーザーでも録画機能の有効又は無効を設定することができる。
【００３３】
なお、外部記録媒体４の登録および初期化を行った後に限らず、外部記録媒体４を接続する際には、録画設定画面を必ず自動表示しても良い。あるいは、外部記録媒体４を識別し、各外部記録媒体４毎の録画機能設定を受信機コントローラ１１内の不揮発性メモリに保存しても良い。
【００３４】
＜Ａ−５．効果＞
実施の形態１に係るデジタル放送受信機１は、デジタル放送を記録媒体に録画する録画制御部９と、録画制御部９における録画機能の使用有無を設定するコントローラ１１（設定部）と、ユーザーの予約要求に応じて録画予約又は視聴予約のいずれかの設定を行う予約管理部７と、を備え、予約管理部７は、予約要求に係る番組について、録画機能が使用有と設定されていれば録画予約のみ設定可能とし、録画機能が使用無と設定されていれば視聴予約のみ設定可能とする。従って、ユーザーが予約要求を行う際、録画予約又は視聴予約を選択する手間が不要となり、デジタル放送受信機１の使い勝手が向上する。
【００３５】
また、コントローラ１１（設定部）は、ユーザーの入力に基づき録画機能の使用有無を設定するので、ユーザーが予め当該設定を行うことにより、その後の予約要求において、録画予約又は視聴予約を選択する手間が不要となる。
【００３６】
また、録画制御部９は、デジタル放送をデジタル放送受信機の外部の記録媒体（外部記録媒体４）に録画し、デジタル放送受信機１は、デジタル放送受信機１への外部記録媒体４の接続が検出されると、録画機能の使用有無をユーザーが設定する画面を表示する表示部３をさらに備えるので、録画機能の使用有無の設定漏れを防ぐことができる。また、メニュー上から録画設定画面を手動で表示させるという操作をユーザーが行う必要がないため、メニュー操作に慣れていないユーザーでも録画機能の使用有無を設定することができる。
【００３７】
また、予約管理部７は、設定部において録画機能が使用無から使用有に切り替わると、設定済の番組の視聴予約を録画予約に置き換え、設定部において録画機能が使用有から使用無に切り替わると、予約設定済の番組の録画予約を視聴予約に置き換える、予約置換機能を有するので、視聴予約と録画予約の混在を防止することができる。
【００３８】
また、予約管理部７は、設定部において録画機能が使用無から使用有に切り替わると、設定済の番組の視聴予約をキャンセルし、設定部において録画機能が使用有から使用無に切り替わると、設定済の番組の録画予約をキャンセルする、予約キャンセル機能を有するので、視聴予約と録画予約の混在を防止することができる。
【００３９】
また、予約管理部７は、前記予約置換機能と前記予約キャンセル機能とを有し、予約置換機能と予約キャンセル機能のうち、ユーザー操作により選択された一方の機能を実行するので、視聴予約と録画予約の混在を防止することができる。
【００４０】
なお、本発明は、その発明の範囲内において、実施の形態を適宜、変形、省略することが可能である。
【符号の説明】
【００４１】
１  デジタル放送受信機、２  入力デバイス機、３  表示部、４  外部記録媒体、５  受信処理部、６  番組情報管理部、７  予約管理部、８  選局制御部、９  録画制御部、１０  表示制御部、１１  コントローラ、１２  受信機スイッチ、１３  アンテナ。
【図１】
2015076726.tif 000003
【図２】
2015076726.tif 000004
【図３】
2015076726.tif 000005
【図４】
2015076726.tif 000006
【図５】
2015076726.tif 000007
【図６】
2015076726.tif 000008